(57)【特許請求の範囲】
【請求項１】
排水口と排水管とを繋ぐ配管部を備えた排水ドレン部材において、
前記配管部の内面には、内側に張り出す改修ドレン支持部が設けられており、
前記改修ドレン支持部は、前記配管部の内面の全周に亘って形成されており、改修時に装着される改修ドレンの先端面が当接する支持面を有している
ことを特徴とする排水ドレン部材。
【請求項２】
前記改修ドレン支持部は、複数段設けられており、
複数の前記改修ドレン支持部のうち、前記排水管側に位置する改修ドレン支持部は、前記排水口側に位置する改修ドレン支持部よりも内側に張り出している
ことを特徴とする請求項１に記載の排水ドレン部材。
【請求項３】
前記配管部は、配管本体と当該配管本体を前記排水管に接続する継手部材とを備えており、
前記改修ドレン支持部は、前記継手部材に設けられている
ことを特徴とする請求項１または請求項２に記載の排水ドレン部材。
【請求項４】
排水口と排水管とを繋ぐ排水ドレン部材に用いられる筒状の継手部材であって、
内面には、内側に張り出す配管本体支持部と改修ドレン支持部が設けられており、
前記配管本体支持部は、前記内面の全周に亘って形成されており、前記排水口に繋がる配管本体の先端面が当接する配管支持面を有し、
前記改修ドレン支持部は、前記内面の全周に亘って形成されており、改修時に装着される改修ドレンの先端面が当接する支持面を有している
ことを特徴とする継手部材。
【請求項５】
排水口と排水管とを排水ドレン部材で繋いで形成された排水構造の改修方法において、
前記排水ドレン部材の内面には、内側に張り出す改修ドレン支持部が設けられ、
前記改修ドレン支持部は、前記排水ドレン部材の内面の全周に亘って形成されており、
前記排水口側から前記排水ドレン部材の内側に第一の改修ドレンを挿入して、前記第一の改修ドレンの先端面を、前記改修ドレン支持部の支持面に当接させて水密的接続を施した後、
前記第一の改修ドレンの前記排水口側端部の周囲を止水する
ことを特徴とする排水構造の改修方法。
【請求項６】
前記改修ドレン支持部は、複数段設けられており、
複数の前記改修ドレン支持部のうち、前記排水管側に位置する改修ドレン支持部は、前記排水口側に位置する改修ドレン支持部よりも内側に張り出しており、
前記排水口側から前記第一の改修ドレンの内側に第二の改修ドレンを挿入して、前記第二の改修ドレンの先端面を、前記排水管側に位置する前記改修ドレン支持部の支持面に当接させて水密的接続を施した後、
前記第二の改修ドレンの前記排水口側端部の周囲を止水する
ことを特徴とする請求項５に記載の排水構造の改修方法。
【発明の詳細な説明】
【技術分野】
【０００１】
本発明は、屋根やバルコニー等に設けられる排水ドレン部材、継手部材および排水構造の改修方法に関する。
【背景技術】
【０００２】
図６に示すように、従来の排水構造は、床１００の排水口１０１に設置された排水ドレン１１０の下端部が下方の排水管１０２に接続されているものがあった。排水ドレン１１０は、鍔状の防水シート接続部１１１と筒状の配管接続部１１２とが一体化されてなる。配管接続部１１２の下端部には、下方に向かって縮径する変径部１１３が一体的に形成されている。このような排水構造では、防水シート接続部１１１や配管接続部１１２が経年変化によって劣化し、シール性能が低下する場合があるので改修する必要がある。排水構造の改修方法としては、排水ドレン１１０の内側に、改修ドレン（新たな防水ドレン）１２０を設置する方法が知られている。改修ドレン１２０は、鍔状の防水シート接続部１２１と蛇腹管部１２２とが一体化されてなる。蛇腹管部１２２は、配管接続部１１２よりも小径に形成されており、変径部１１３の下端部まで延在している。このような構成とすることで、防水シート接続部１１１と防水シート１０３との接続部を利用しつつ、改修ドレン１２０を設置することができる。
【０００３】
これに類似した構成として、特許文献１に記載されたドレン構造があった。このドレン構造は、排水管に接続される第１ドレン部材と、その内側に挿入される第２ドレン部材とを備えている。第１ドレン部材と第２ドレン部材はともに鍔部と筒部を備えている。第２ドレン部材の筒部が、第１ドレン部材の筒部の内側に接触しない状態で挿入されている。第２ドレン部材は改修時に交換される。このような構成とすることで、改修時に第２ドレン部材の交換作業を簡易に且つ迅速に行うことができる。
【先行技術文献】
【特許文献】
【０００４】
【特許文献１】特開２０１１−５８１６９号公報
【発明の概要】
【発明が解決しようとする課題】
【０００５】
図６の排水構造および特許文献１のドレン構造は、ともに内側の挿入配管と外側の配管との間に隙間があるため、排水管内に逆流や詰りが発生して満管状態が起こった場合に、既存排水ドレンと改修ドレンの隙間に排水が流入してしまう場合がある。既存排水ドレンと改修ドレンの隙間に排水が流入すると、劣化した防水シート接続部１１１や、防水シート接続部１１１と配管接続部１１２との接続部の周囲に排水が流れるため、劣化によって生じた隙間から建物の躯体側に浸水する問題があった。
【０００６】
一方、図６に示した従来の排水構造では、改修ドレン１２０の蛇腹管部１２２が排水ドレン１１０の配管接続部１１２に挿入されるため、排水路の径が大幅に小さくなる。したがって、排水能力が大きく低下してしまう。時間雨量が増加傾向にある近年では、排水能力の低下は問題である。
【０００７】
他方、防水技術の進歩により防水シート等の防水材料の耐用年数が排水ドレンの耐用年数よりも長くなっているところ、改修時に排水ドレンの撤去を行うのは、防水シートの開口部周辺を再施工しなければならないので、高耐用の防水シートの性能を活かしきれないこととなる。このことは、改修の度に第２ドレン部材を交換する特許文献１のドレン構造において発生する問題である。また、図６の排水構造においても、最初の改修では既存の排水ドレン１１０を残置することができるが、複数回改修を行うと、改修の度に排水路の径が小さくなるので、現実的には改修ドレンの挿入による改修は一回が限度である。したがって、二度目の改修では、排水ドレン１１０または改修ドレン１２０、あるいはその両者の撤去を余儀なくされる。
【０００８】
そこで、本発明は、前記の問題を解決するためになされたものであり、排水能力の低下を抑制しつつ既存の排水ドレンと防水層との接続部分を利用できるとともに、既存排水ドレンと改修ドレンとの隙間への排水の流入を防止できる排水ドレン部材、継手部材および排水構造の改修方法を提供することを課題とする。
【課題を解決するための手段】
【０００９】
前記課題を解決するための本発明は、排水口と排水管とを繋ぐ配管部を備えた排水ドレン部材において、前記配管部の内面には、内側に張り出す改修ドレン支持部が設けられており、前記改修ドレン支持部は、前記配管部の内面の全周に亘って形成されており、改修時に装着される改修ドレンの先端面が当接する支持面を有していることを特徴とする排水ドレン部材である。
【００１０】
このような構成によれば、改修ドレンの先端面を改修ドレン支持部の支持面に当接させることで水密的接続を行うことができるので、既存排水ドレンと改修ドレンとの隙間への排水の流入を防止できる。これによって、劣化した部分に排水が流れるのを防止できるので、劣化によって生じた隙間から建物の躯体側に浸水することはない。
さらに、改修ドレン支持部に当接させるために改修ドレンとして蛇腹管ではなく既製の塩ビ管を用いることとなるので、従来用いられていた蛇腹管と比較して排水路の径の縮小化を抑えることができる。したがって、排水能力の低下を抑制しつつ既存の排水ドレン部材を利用することができる。
【００１１】
本発明に係る排水ドレン部材においては、前記改修ドレン支持部が、複数段設けられており、複数の前記改修ドレン支持部のうち、前記排水管側に位置する改修ドレン支持部は、前記排水口側に位置する改修ドレン支持部よりも内側に張り出しているものが好ましい。このような構成によれば、排水能力の低下を抑制しつつ、防水層の排水口周辺を再施工することなく複数回の改修を行うことができる。したがって、高耐用の防水シートの性能を活かした排水構造の改修を行うことができる。
【００１２】
さらに、本発明に係る排水ドレン部材においては、前記配管部が、配管本体と当該配管本体を前記排水管に接続する継手部材とを備えており、前記改修ドレン支持部は、前記継手部に設けられているものであってもよい。このような構成によっても、前記した作用効果と同等の作用効果が得られる。
【００１３】
また、本発明は、排水口と排水管とを繋ぐ排水ドレン部材に用いられる筒状の継手部材であって、内面には、内側に張り出す配管本体支持部と改修ドレン支持部が設けられており、前記配管本体支持部は、前記内面の全周に亘って形成されており、前記排水口に繋がる配管本体の先端面が当接する配管支持面を有し、前記改修ドレン支持部は、前記内面の全周に亘って形成されており、改修時に装着される改修ドレンの先端面が当接する支持面を有していることを特徴とする継手部材である。このような構成の継手部材を備えた排水ドレン部材を用いれば、前記した作用効果と同等の作用効果が得られる。
【００１４】
さらに、本発明は、排水口と排水管とを排水ドレン部材で繋いで形成された排水構造の改修方法において、前記排水ドレン部材の内面には、内側に張り出す改修ドレン支持部が設けられ、前記改修ドレン支持部は、前記排水ドレン部材の内面の全周に亘って形成されており、前記排水口側から前記排水ドレン部材の内側に第一の改修ドレンを挿入して、前記第一の改修ドレンの先端面を、前記改修ドレン支持部の支持面に当接させて水密的接続を施した後、前記第一の改修ドレンの前記排水口側端部の周囲を止水することを特徴とする排水構造の改修方法である。
【００１５】
このような方法によれば、改修ドレンの先端面と改修ドレン支持部の支持面とを水密的接続することができるので、既存排水ドレンと改修ドレンとの隙間への排水の流入を防止できる。これによって、劣化した部分に排水が流れるのを防止できるので、劣化によって生じた隙間から建物の躯体側に浸水することはない。
さらに、改修ドレンとして蛇腹管ではなく既製の塩ビ管を用いることとなるので、蛇腹管と比較して排水路の径の縮小化を抑えることができる。したがって、排水能力の低下を抑制することができる。
【００１６】
さらに、本発明に係る排水構造の改修方法においては、前記改修ドレン支持部は、複数段設けられており、複数の前記改修ドレン支持部のうち、前記排水管側に位置する改修ドレン支持部は、前記排水口側に位置する改修ドレン支持部よりも内側に張り出しており、前記排水口側から前記第一の改修ドレンの内側に第二の改修ドレンを挿入して、前記第二の改修ドレンの先端面を、前記排水管側に位置する前記改修ドレン支持部の支持面に当接させて水密的接続を施した後、前記第二の改修ドレンの前記排水口側端部の周囲を止水することが好ましい。このような方法によれば、防水層の排水口周辺を再施工することなく二回の改修を行うことができるので、高耐用の防水シートの性能を活かした排水構造の改修を行うことができる。さらに、二回の改修を行っても排水能力の低下を抑制することができる。
【発明の効果】
【００１７】
本発明に係る排水ドレン部材および排水構造の改修方法によれば、排水能力の低下を抑制しつつ、既存防水層と改修防水層の隙間への排水の流入を防止できる。
【図面の簡単な説明】
【００１８】
【図１】本発明の実施形態に係る排水ドレン部材を床部に設置した状態を示した断面図である。
【図２】本発明の実施形態に係る排水ドレン部材を示した分解斜視図である。
【図３】本発明の実施形態に係る排水構造の改修方法を説明するための図であって、一回目の改修を行った状態を示した断面図である。
【図４】本発明の実施形態に係る排水構造の改修方法を説明するための図であって、二回目の改修を行った状態を示した断面図である。
【図５】本発明の他の実施形態に係る排水ドレン部材の配管部を示した断面図である。
【図６】従来の改修を行った状態を示した断面図である。
【発明を実施するための形態】
【００１９】
本発明の実施形態に係る排水ドレン部材について、図面を参照して詳細に説明する。図１に示すように、かかる排水ドレン部材１は、屋根やバルコニーの床部２に形成された排水路３に設けられている。床部２は、下地４上に防水層５が形成されて構成されている。防水層５は、防水シートあるいは塗布防水など、公知の防水材料にて形成されている。排水ドレン部材１で、防水層５の排水口（開口部）６とその下方の排水管７とを繋ぐことで排水構造８が形成されている。
【００２０】
図１および図２に示すように、排水ドレン部材１は、配管部１０と下地固定部３０と防水層固定部４０とを備えている。
【００２１】
配管部１０は、排水口６と排水管７とを繋ぐ（図１参照）。配管部１０は、段付の円筒管にて構成されている。図１に示すように、配管部１０の内面には、内側に張り出す改修ドレン支持部１１が設けられている。改修ドレン支持部１１は、配管部１０の内面の全周に亘って形成されており、後記する改修ドレン５０（図１、図３および図４参照）の先端面（下端面）が当接する支持面１２を有している。支持面１２は、水平方向に広がる円環平面状を呈している。支持面１２の平面形状は、支持される改修ドレン５０の先端面（下端面）と同等の形状である。支持面１２の上側に繋がる配管部１０の内周面の内径寸法は、支持される改修ドレン５０の外周面の外径寸法と同等である。この内周面は、改修ドレン５０の外周面が嵌合される面である（以下「嵌合内周面１３」という）。
【００２２】
本実施形態では、改修ドレン支持部１１は、上下二箇所に形成されている。上下の改修ドレン支持部１１，１１のうち、上側に位置する改修ドレン支持部１１ａは、配管部１０の管本体が段差を持って縮径することで内側に張り出している。下側に位置する改修ドレン支持部１１ｂは、配管部１０の内周面に内側に突出する円環状の突条１６を形成することで内側に張り出している。突条の上面が、支持面１２を構成している。図３に示すように、突条の下方の配管部１０に、排水管７が嵌合されるようになっている。突条１６の下面は排水管当接面１７となっており、排水管当接面１７に排水管７の上端面が当接する。
【００２３】
上側の改修ドレン支持部１１ａの上側に位置する嵌合内周面１３の上端部には、改修ドレンの案内面１４が形成されている。案内面１４は、上方に向かうに連れて拡径するテーパ状に形成されている。このような案内面１４によれば、上方から配管部１０に挿入された改修ドレン５０先端（下端）は、テーパ状の案内面１４に沿って、内側の嵌合内周面１３へと導かれる。
【００２４】
案内面１４の上側に位置する配管部１０は、上方に向かってなだらかに拡径している。これによって、配管部１０の上端部は、拡がった状態となっており、内側に防水層固定部４０を固定するためのスペースを確保している。なお、配管部１０の上端部は、拡径する形状に限定されるものではなく、一定の内径を備えた直線管状であってもよい。この場合、防水層固定部４０を固定するためのスペースは、案内面１４の拡径部分で確保する。
【００２５】
図２に示すように、配管部１０の円環状の上端面は、内周縁１５ａが外周縁１５ｂよりも上方に突出している。配管部１０の上端面の外周縁１５ｂは、下地固定部３０の固定面となっている。
【００２６】
図１に示すように、下地固定部３０は、排水ドレン部材１を屋根やバルコニーの床部２の下地に固定するための部材である。図１および図２に示すように、下地固定部３０は、板材からなり、平面視正方形形状を呈している。下地固定部３０の中央部には、円形の貫通孔３１が形成されている。貫通孔３１の内径は、配管部１０の上端の内周縁１５ａの突出部分の外径と同等である。貫通孔３１の内側に、配管部１０の内周縁１５ａの突出部分が入り込んで接続される。下地固定部３０の厚さ寸法は、突出部分の突出高さと同等となっており、内周縁１５ａの上端面と下地固定部３０の上面とは面一となっている。配管部１０の上端の外周縁１５ｂに下地固定部３０の下面が当接しており、下地固定部３０は、配管部１０の外周縁１５ｂに接着されている。下地固定部３０の周縁部（本実施形態では四隅部）には、ビス用孔３２（図２参照）が形成されている。ビス用孔３２には、屋根下地にねじ込まれるビスＶが挿入される（図１参照）。
【００２７】
図１に示すように、防水層固定部４０は、排水ドレン部材１を屋根やバルコニーの床部２の表面に形成された防水層５の開口縁部に固定するための部材である。図１および図２に示すように、防水層固定部４０は、平板部４１と円筒部４２とを備えている。平板部４１と円筒部４２は樹脂製材料からなり一体形成されている。平板部４１は、防水層５へ水密的接続に十分な接続しろを有する大きさに形成されており、本実施形態では、平板部４１は、平面視正方形形状を呈している。なお、平板部４１の形状は正方形に限定されるものではなく、円形や多角形なの他の形状であってもよい。平板部４１は、下地固定部３０よりも大きく、下地固定部３０の全体を上側から覆う。平板部４１の中央部には、円形の貫通孔４３が形成されている。貫通孔４３に円筒部４２が繋がっている。円筒部４２の外周面は、配管部１０の上端部の内周面に沿った形状となっている。円筒部４２は、配管部１０の上端部の内側に嵌合されている。
【００２８】
次に、改修ドレン５０の構造を説明する。図３に示すように、改修ドレン５０は、排水構造８の改修時に装着されるものである。改修ドレン５０は、筒部５１と鍔部５２とを備えている。筒部５１は、配管部１０に挿入される部位であり、既製の塩ビ管にて構成されている。鍔部５２は、防水層固定部４０または防水層５の開口縁部に固定される部位である（本実施形態では、鍔部５２は、防水層固定部４０の上面に固定されている。なお、図示しないが、鍔部が防水層固定部よりも大きい場合は、鍔部は防水層の上面に固定される）。鍔部５２は、平板部５３と円筒部５４とを備えている。円筒部５４が筒部５１の上端部内側に挿入されて接着されることで、鍔部５２が筒部５１に固定されている。
【００２９】
図３および図４に示すように、本実施形態では、改修ドレン５０として、第一の改修ドレン５０ａと第二の改修ドレン５０ｂの大きさが異なる二種が用いられている。図３に示すように、第一の改修ドレン５０ａは、１回目の改修時に装着されるものであって、第二の改修ドレン５０ｂよりも大径である。第一の改修ドレン５０ａは、配管部１０の内側に挿入される。第一の改修ドレン５０ａの筒部５１の先端面（下端面）は、上側に位置する改修ドレン支持部１１ａの支持面１２と同じ平面形状である。第一の改修ドレン５０ａの筒部５１の先端面は、上側の支持面１２に当接し、全周に渡って支持面１２に面接触する。第一の改修ドレン５０ａの筒部５１の先端部の外周面は、嵌合内周面１３に嵌合する。
【００３０】
第二の改修ドレン５０ｂは、２回目の改修時に装着されるものであって、第一の改修ドレン５０ａの内側に挿入される。第二の改修ドレン５０ｂの筒部５１の先端面（下端面）は、下側に位置する改修ドレン支持部１１ｂの支持面１２と同じ平面形状である。第二の改修ドレン５０ｂの筒部５１の先端面は、下側の支持面１２に当接し、全周に渡って支持面１２に面接触する。第二の改修ドレン５０ｂの筒部５１の先端部の外周面は、嵌合内周面１３に嵌合する。第二の改修ドレン５０ｂの内周径は、排水管７の内周径と同等である。
【００３１】
以上のような構成の排水ドレン部材１および改修ドレン５０を用いた排水構造８の改修方法を、以下に説明する。
【００３２】
１回目の改修は、完成から１０年後を目安に行われる。排水構造８の接続部分の耐用年数が１０年程度であるためである。１回目の改修では、図３に示すように、防水層５の排水口６側から排水ドレン部材１の内側（配管部１０の内部）に第一の改修ドレン５０ａの筒部５１を挿入する。このとき、改修ドレン５０ａの先端部は、傾斜した案内面１４によって、配管部１０の中心に移動され、内周面の段差に引っ掛かることなく、改修ドレン支持部１１ａへと案内される。そして、第一の改修ドレン５０ａの筒部５１の先端面を、上側の改修ドレン支持部１１ａの支持面１２に当接させて面接触させる。このとき、第一の改修ドレン５０ａの先端部の外周面は、支持面１２の上側に繋がる嵌合内周面１３に嵌合して密着している。これによって、第一の改修ドレン５０ａと排水ドレン部材１とで水密的接続が施された状態となる。
【００３３】
なお、第一の改修ドレン５０ａの筒部５１の先端面に接着剤を塗布しておき、その先端面を上側の改修ドレン支持部１１ａの支持面１２に接着してもよい。このようにすれば、水密性が向上する。
【００３４】
そして、改修ドレン５０ａの鍔部５２は、排水ドレン部材１の防水層固定部４０の上に布設された状態となる。鍔部５２の周縁端部と防水層固定部４０の上面に跨るようにシール材を塗布または貼り付けることで、鍔部５２と防水層固定部４０との隙間を止水する。なお、鍔部５２が防水層固定部４０よりも大きい場合は、鍔部５２と防水層５との間にシール材を塗布または貼り付ける。
【００３５】
２回目の改修は、１回目の改修から１０年後を目安に行われる。２回目の改修では、図４に示すように、防水層５の排水口６側から第一の改修ドレン５０ａの内側（筒部５１の内部）に第二の改修ドレン５０ｂの筒部５１を挿入する。そして、第二の改修ドレン５０ｂの筒部５１の先端面を、下側の改修ドレン支持部１１ｂの支持面１２に当接させて面接触させる。このとき、第二の改修ドレン５０ｂの先端部の外周面は、下側の支持面１２の上側に繋がる嵌合内周面１３に嵌合して密着している。これによって、第二の改修ドレン５０ｂと排水ドレン部材１とで水密的接続が施された状態となる。
【００３６】
なお、第二の改修ドレン５０ｂの筒部５１の先端面に挿入前に接着剤を塗布しておき、その先端面を下側の改修ドレン支持部１１ｂの支持面１２に接着してもよい。このようにすれば、水密性が向上する。
【００３７】
そして、第二の改修ドレン５０ｂの鍔部５２は、第一の改修ドレン５０ａの鍔部５２の上に布設された状態となる。改修ドレン５０ｂの鍔部５２の周縁端部と改修ドレン５０ａの鍔部５２の上面に跨るようにシール材を塗布または貼り付けることで、鍔部５２，５２同士間の隙間を止水する。なお、第二の改修ドレン５０ｂの鍔部５２が第一の改修ドレン５０ａの鍔部５２よりも大きい場合は、鍔部５２と防水層固定部４０（または防水層５）との間にシール材を塗布または貼り付ける。
【００３８】
以上説明したような排水ドレン部材１および排水構造８の改修方法によれば、改修ドレン５０を配管部１０に挿入して、改修ドレン支持部１１の支持面１２に当接させるだけで、改修ドレン５０の先端部の全周に亘ってシールできるので、容易に水密的接続を施すことができる。つまり、改修ドレン５０を、排水ドレン部材１の配管部１０を介して、排水管７に水密的接続を施すことができる。よって、排水管７内に逆流や詰りが発生して満管状態が起こったとしても、既存排水ドレン（排水ドレン部材１）と改修ドレン（改修ドレン５０）との隙間（改修ドレン０の外側）に排水が流入することはない。したがって、下地固定部３０の周辺には浸水が発生しない。つまり、下地固定部３０周辺は、改修ドレン５０で水流領域と区画することができるので、仮に経年劣化によって、既存の防水層固定部４０、防水層固定部４０と配管部１０との接合部、下地固定部３０の周辺のシールが傷んでいだとしても、建物の躯体部分への浸水を防止できる。
【００３９】
さらに、改修ドレン５０の筒部５１として蛇腹管ではなく既製の塩ビ管を用いているので、従来用いられていた蛇腹管と比較して、配管部１０内の排水路の径の縮小化を大幅に抑えることができる。つまり、第一の改修ドレン５０ａの内側に第二の改修ドレン５０ｂを装着しても、排水に必要な排水路の径を確保することができる。したがって、排水能力の低下を抑制することができるとともに、２回目の改修も可能となる。
【００４０】
一方、改修ドレン５０の鍔部５２は、排水口６を覆っており、その周縁端部にシール材を設けているので、既存の排水ドレン（排水ドレン部材１）を撤去しなくて済む。これと同時に、本願発明によれば、改修ドレン５０が、排水ドレン部材１の配管部１０を介して、排水管７に水密的接続されている。したがって、防水層５を破損することなく残存させつつ、新たな水密的接続された防水構造を形成することができる。よって、既存の防水層５を再施工する必要がないので、改修作業を容易に行うことができる。これに対して、図６に示した従来の蛇腹管部１２２を備えた改修ドレン１２０を用いた場合、水密的接続は行えない。水密的接続を行おうとすると、排水ドレン１１０を一旦切開・撤去して配管部１０２を露出した上で、排水ドレン１１０と同等の構成を再施工しなければいけない。つまり、従来の改修ドレンの水密的配管接続時に排水ドレンの撤去を行っていた場合と比較して、前記の改修方法では作業工程が大幅に低減される。要するに、前記の改修方法によれば、撤去に伴う既存の防水層５を切開することなく、改修ドレン５０の水密的接続が可能である。これによって、改修工事中に降雨などが発生したとしても、雨水の躯体内への浸入を防ぐことができる。また、既存の防水層５を切開する必要がないので工期の短縮が図れるとともに、従来と比較して簡便な構成の改修ドレン部材１で水密的接続を行うことができる。したがって、改修工事にかかるコストを削減することができる。
【００４１】
また、本実施形態では、改修ドレン支持部１１を二段設けたことによって、改修ドレン５０を２回装着することができる。これによって、排水構造８は、完成から１０年、１回目の改修から１０年、２回目の改修から１０年の合計３０年間、防水性能を確保できる。よって、近年の防水素材の発達により、３０年まで長くなった防水層５の耐用年数を無駄にすることなく有効利用することができるので、高耐用の防水層５の性能を活かした排水構造８の改修を行うことができる。なお、完成から３０年以上経過した場合には、既存の防水層５や排水構造８を撤去して、新たに施工することで改修する。
【００４２】
次に、本発明の実施形態に係る排水ドレン部材の変形例について、図５を参照して説明する。前記実施形態の排水ドレン部材１は、配管部１０は一部材で構成されているが、変形例に係る排水ドレン部材１ａは、図５に示すように、配管部１０ａが、配管本体７１と、配管本体７１を下方の排水管（図示せず）に接続する継手部材７２との二部材で構成されている。
【００４３】
配管本体７１は塩ビ管にて構成されており、筒状を呈している。配管本体７１の上端部は、前記配管部１０の上端と同等の形状である。
【００４４】
継手部材７２は筒状を呈している。継手部材７２の上端部には、配管本体７１を接続するための、配管本体支持部７３が形成されている。配管本体支持部７３は、継手部材７２の内面の全周に亘って形成されており、配管本体７１の下端面が当接する支持面７４を有している。支持面７４は、水平方向に広がる円環平面状を呈している。支持面７４の平面形状は、配管本体７１の先端面と同等の形状である。支持面７４の上側に繋がる継手部材７２の内周面の内径寸法は、配管本体７１の外周面の外径寸法と同等である。この内周面は、配管本体７１の外周面が嵌合される面である（以下「嵌合内周面７５」という）。
【００４５】
配管本体支持部７３より下方の継手部材７２は、前記配管部１０の下部と同様の形状となっており、改修ドレン支持部１１ａ，１１ｂ、嵌合内周面１３等を備えている。前記配管部１０と同じ構成の部分については、同じ符号を付して説明を省略する。
【００４６】
このような構成の排水ドレン部材１ａによれば、前記実施形態と同様の作用効果が得られる他に、配管本体７１に既存の塩ビ管を利用できるので排水ドレン部材１ａの製造コストを低減することができる。また、排水ドレン部材１ａの長さ寸法を容易に調整可能である。
【００４７】
以上、本発明を実施するための形態について説明したが、本発明は前記実施形態に限定されず、本発明の趣旨を逸脱しない範囲で適宜設計変更が可能である。例えば、前記実施形態では、排水ドレン部材１には、上下二箇所に改修ドレン支持部１１，１１が形成されているが、これに限定されるものではない。改修ドレン支持部１１は、一箇所のみであってもよいし、三箇所以上形成してもよい。但し、現状の防水層５の耐用年数では、２回改修を行うことができる前記実施形態の構成が好ましい。将来的に防水層５の耐用年数がさらに伸びた場合に、改修ドレン支持部１１を増やすのがよい。
【００４８】
また、前記実施形態では、下地固定部３０と防水層固定部４０の平板部４１は正方形形状であるが、その形状は正方形に限定されるものではない。円形や多角形など他の形状であってもよい。
【００４９】
さらに、前記実施形態では、排水ドレン部材１は上下方向に延在して配置されているが、これに限定されるものではない。排水ドレン部材を、屋根やバルコニーの側部で立ち上がる壁面に形成された排水用開口部に設ける場合などは、横方向に延在あるいは傾斜して延在して配置してもよい。
【００５０】
また、前記実施形態では、排水ドレン部材１の下端部に排水管７が直接接続されているが、これに限定されるものではない。排水ドレン部材１の下端部を、既存の継手部材を介して排水管７に接続するようにしてもよい。
【００５１】
また、前記実施形態では、配管部１０と下地固定部３０は、別離された部材にて構成されているが、これに限定されるものではなく、配管部の上端部に、鍔状に張り出した下地固定部を一体成形した構造であってもよい。
【符号の説明】
【００５２】
１      排水ドレン部材
１ａ    排水ドレン部材
６      排水口
７      排水管
８      排水構造
１０    配管部
１０ａ  配管部
１１    改修ドレン支持部
１１ａ  上側の改修ドレン支持部
１１ｂ  下側の改修ドレン支持部
１２    支持面
１３    嵌合内周面
１４    案内面
３０    下地固定部
４０    防水層固定部
４１    平板部
４２    円筒部
４３    貫通孔
５０    改修ドレン
５０ａ  第一の改修ドレン
５０ｂ  第二の改修ドレン
７１    配管本体
７２    継手部材
７３    配管本体支持部
７４    配管本体支持面
【図１】
0006267632.tif 000002
【図２】
0006267632.tif 000003
【図３】
0006267632.tif 000004
【図４】
0006267632.tif 000005
【図５】
0006267632.tif 000006
【図６】
0006267632.tif 000007